(57)【要約】【課題】  設置後でもユーザーが使用状況に合わせて引出しのレイアウトを自由に変更することができるキッチン用キャビネットを提供する。【解決手段】  キッチン用キャビネット１Ａは、それぞれの高さが基準高さＨの略整数倍に設定された複数の引出し４１，４２と、前方に開口し、内部に前記各引出しを上下に並んだ状態で収納可能なユニット本体４３とでなるユニット４を備えている。前記ユニット本体４３の両内側面には、前記引出し４１，４２を前後方向に移動可能に保持する複数のレール部材４４ａが、前記基準高さＨと略同一のピッチで設けられている。【選択図】      図１
2007020982.tif 000002
【特許請求の範囲】
【請求項１】
それぞれの高さが基準高さの略整数倍に設定された複数の引出しと、前方に開口し、内部に前記各引出しを上下に並んだ状態で収納可能なユニット本体とでなるユニットを備え、
前記ユニット本体の両内側面には、前記引出しを前後方向に移動可能に保持する複数のレール部材が、前記基準高さと略同一のピッチで設けられていることを特徴とするキッチン用キャビネット。
【請求項２】
前記ユニットは、左右方向に複数並んで設けられており、これらのユニットの少なくとも２つは、幅寸法が略同一に設定されていることを特徴とする請求項１に記載のキッチン用キャビネット。
【請求項３】
前記幅寸法が略同一に設定された各ユニットは、高さが前記基準高さの略１倍に設定された２つの第１引出しと、高さが前記基準高さの略２倍に設定された１つの第２引出しとを有し、これらのユニットのユニット本体の両内側面には４段でレール部材が設けられていることを特徴とする請求項２に記載のキッチン用キャビネット。
【請求項４】
前記各ユニットのユニット本体の上に載置されるキッチンカウンターをさらに備え、このキッチンカウンターには、前記ユニットのうちの１つに対応する位置にシンクが設けられていることを特徴とする請求項２または３に記載のキッチン用キャビネット。
【請求項５】
前記シンクに対応する位置のユニットの各引出しには、後側の端部に排水トラップとの干渉を回避するための切欠き部が設けられており、前記排水トラップと対応する高さ位置にある引出し以外の引出しの少なくとも１つには、前記切欠き部に当該切欠き部に嵌り込み可能な収納部材が着脱可能に取り付けられていることを特徴とする請求項４に記載のキッチン用キャビネット。
【発明の詳細な説明】
【技術分野】
【０００１】
本発明は、箱型のユニットを備えたキッチン用キャビネットに関するものである。
【背景技術】
【０００２】
従来、複数の箱型のユニットを横並び（並列）に配置することにより構成されたキッチン用キャビネットが知られている（たとえば、特許文献１参照）。このキッチン用キャビネットでは、各ユニットの上にキッチンカウンターが載置され、このキッチンカウンターにシンクやコンロが設けられている。
【０００３】
このような従来のキッチン用キャビネットには、キャビネットを構成するユニットの１つとして、皿や鍋、調味料の容器などを収納するための引出しを上下に複数段備えた引出しユニットが設けられている。これらの引出しは、前方に開口するユニット本体の両内側面に設けたレール部材により、前後方向に移動可能に保持されている。
【特許文献１】特開平１１−２３０号公報
【発明の開示】
【発明が解決しようとする課題】
【０００４】
しかしながら、従来のキッチン用キャビネットにおける引出しユニットでは、ユーザーの要望に応じて引出しの大きさ及び配置位置が予め決定され、それに合わせてレール部材が取り付けられていたため、キッチン用キャビネットの設置後にユーザーが引出しのレイアウトを変更するのは困難であった。
【０００５】
本発明は、このような事情に鑑み、設置後でもユーザーが使用状況に合わせて引出しのレイアウトを自由に変更することができるキッチン用キャビネットを提供することを目的とする。
【課題を解決するための手段】
【０００６】
前記課題を解決するために、本発明に係るキッチン用キャビネットは、それぞれの高さが基準高さの略整数倍に設定された複数の引出しと、前方に開口し、内部に前記各引出しを上下に並んだ状態で収納可能なユニット本体とでなるユニットを備え、前記ユニット本体の両内側面には、前記引出しを前後方向に移動可能に保持する複数のレール部材が、前記基準高さと略同一のピッチで設けられていることを特徴とするものである。
【０００７】
ここで、基準高さとは、ユニットにおける引出しの占有高さを、最小の高さの引出しのみで構成したときに決定される段数で割ったときの高さのことである。
【０００８】
ユニット同士の間で引出しを自由に入れ替えることを可能とするために、前記ユニットは、左右方向に複数並んで設けられており、これらのユニットの少なくとも２つは、幅寸法が略同一に設定されていることが好ましい。
【０００９】
一方のユニットの２つの第１引出しと、他方のユニットの第２引出しとを入れ替えることができるようにするために、前記幅寸法が略同一に設定された各ユニットは、高さが前記基準高さの略１倍に設定された２つの第１引出しと、高さが前記基準高さの略２倍に設定された１つの第２引出しとを有し、これらのユニットのユニット本体の両内側面には４段でレール部材が設けられていることが好ましい。
【００１０】
前記各ユニットのユニット本体の上に載置されるキッチンカウンターをさらに備え、このキッチンカウンターには、前記ユニットのうちの１つに対応する位置にシンクが設けられていることが好ましい。
【００１１】
前記シンクに対応する位置のユニットでの引出しの自由な入れ替えを可能とするために、当該ユニットの各引出しには、後側の端部に排水トラップとの干渉を回避するための切欠き部が設けられており、前記排水トラップと対応する高さ位置にある引出し以外の引出しの少なくとも１つには、前記切欠き部に当該切欠き部に嵌り込み可能な収納部材が着脱可能に取り付けられていることが好ましい。
【発明の効果】
【００１２】
本発明によれば、ユーザーが引出しを上下に入れ替えても、いずれの引出しもレール部材に保持させることができるので、その時々の使い勝手に合わせた引出しの配置変更が可能であり、また引出しの配置変更によってキッチン用キャビネットの外観やデザインを変更することができる。
【発明を実施するための最良の形態】
【００１３】
以下、本発明を実施するための最良の形態について、図面を参照しながら詳細に説明する。
【００１４】
（第１実施形態）
図１に示すように、本発明の第１実施形態に係るキッチン用キャビネット１Ａは、キッチン用フロアキャビネットとして構成されたものであり、左右方向に並んで配置される複数の箱型のユニット２〜６と、これらのユニット２〜６の上に載置されるキッチンカウンター１１とを備えている。
【００１５】
前記キッチンカウンター１１には、右側位置にシンク１２が設けられ、左側位置にコンロ１３が設けられている。
【００１６】
前記ユニット２〜６は、シンク１２に対応する位置に配置されるシンクユニット２と、コンロ１３に対応する位置に配置されるコンロユニット３と、これらのユニット２，３の間に配置される２つの引出しユニット４，５と、コンロユニット３の左側に配置される幅狭の引出しユニット６とからなっている。
【００１７】
前記コンロユニット３の前面の上部には、コンロ１３のグリル扉や操作部などが設けられた前面を前方に露出させるための開口３ａが設けられており、この開口３ａにコンロ１３の前端部が嵌り込んでコンロ１３の前面が各ユニット２〜６の前面と略面一になっている。
【００１８】
前記各引出しユニット４〜６は、互いに幅寸法が異なるだけであって、それらの構造は全て同じであるので、代表として引出しユニット４について説明する。
【００１９】
引出しユニット４は、高さが基準高さＨの略１倍に設定された２つの第１引出し４１（引出しユニット５では５１、引出しユニット６では６１）と、高さが基準高さＨの略２倍に設定された１つの第２引出し４２（引出しユニット５では５２、引出しユニット６では６２）とを有しているとともに、前方に開口し、内部に前記各引出し４１，４２を上下に並んだ状態で収納可能なユニット本体４３（引出しユニット５では５３、引出しユニット６では６３）を有している。
【００２０】
ここで、基準高さＨとは、引出しユニット４における引出しの占有高さＨ’を、最小の高さの引出しのみで構成したときに決定される段数（本実施形態では４段）で割ったときの高さのことである。なお、本実施形態では、基準高さＨは、キッチンカウンター１１の下面からコンロ１３の下面までの高さと一致している。
【００２１】
前記ユニット本体４３は、図２（ａ）（ｂ）及び図３（ａ）に示すように、略縦長長方形状の２枚の側板４３ａと、これらの側板４３ａの後端部同士を下端部を僅かに残した状態で連結する背板４３ｂと、側板４３ａの下部同士を連結する底板４３ｃと、背板４３ｂと対向する向きで側板４３ａの前側上端部同士を連結する目隠し板４３ｄとを有している。すなわち、両側板４３ａの内側面、底板４３ｃの上面、及び目隠し板４３ｄの下端面で前方に開口する開口が形成され、両側板４３ａの内側面、背板４３ｂの前面、及び目隠し板４３ｄの後面で上方に開口する開口が形成されている。
【００２２】
また、底板４３ｃの下側には、底板４３ｃの前端部から少し後側に控えた位置に側板４３ａ同士の間を塞ぐ塞ぎ板４３ｅが設けられており、両側板４３ａの前側下端部は、底板４３ｃの下面及び塞ぎ板４３ｅの前面に沿って切り取られている。
【００２３】
前記両側板４３ａの内側面には、前記第１引出し４１及び第２引出し４２を前後方向に移動可能に保持する４段のレール部材４４ａが、前記基準高さＨと略同一のピッチＰで設けられている。
【００２４】
前記第１引出し４１は、２枚の側板４１ｂ、背板４１ｃ、底板４１ｄ、及び化粧板４１ａからなっており、化粧板４１ａの高さ寸法が前記基準高さＨの略１倍になっている。そして、両側板４１ｂの外側面に前記レール部材４４ａに係合する係合部材４４ｂが取り付けられている。
【００２５】
前記レール部材４４ａは、図３（ｂ）に示すように、内側に開口する断面略Ｃ字状で前後方向に延在しており、前記係合部材４４ｂは、レール部材４４ａに嵌り込み可能な断面形状で前後方向に延在している。このため、係合部材４４ｂがレール部材４４ａに嵌り込んで係合すると、第１引出し４１がレール部材４４ａに前後方向に移動可能に保持されるようになる。なお、詳細な構造についての説明は省略するが、第１引出し４１を引き出した状態で持ち上げれば、係合部材４４ｂとレール部材４４ａとの係合状態を解除できるようになっており、第１引出し４１はユニット本体４３に対して前方から着脱可能となっている。
【００２６】
前記第２引出し４２は、図示は省略するが、第１引出しと同様の構造となっており、高さ方向の寸法が異なるだけである。すなわち、第２引出し４２は、高さ寸法が基準高さＨの略２倍の化粧板４２ａを有しており、両側板の外側面には係合部材４４ｂが取り付けられている。ただし、第２引出し４２における化粧板４２ａの下端部から係合部材４４ｂまでの高さ寸法は、第１引出し４１における化粧板４１ａの下端部から係合部材４４ｂまでの高さ寸法と略同一に設定されている。また、第２引出し４２も、第１引出し４１と同様に、ユニット本体４３に対して前方から着脱可能となっている。
【００２７】
このように、本実施形態では、引出し４１，４２の数よりも多くのレール部材４４ａが基準高さＨと略同一のピッチＰで設けられているとともに、第２引出し４２における化粧板４２ａの下端部から係合部材４４ｂまでの高さ寸法が、第１引出し４１における化粧板４１ａの下端部から係合部材４４ｂまでの高さ寸法と略同一に設定されているので、第１引出し４１と第２引出し４２とを上下に入れ替えても、いずれの引出し４１，４２もどこかのレール部材４４ａに保持されることになる。例えば、図２（ａ）（ｂ）に示すように、第２引出し４２を最下段に配置する場合には、３段目のレール部材４４ａは使用されず、第２引出し４２は４段目のレール部材４４ａに保持され、２つの第１引出し４１は１段目及び２段目のレール部材４４ａに保持される。そして、図４（ａ）（ｂ）に示すように、第２引出し４２を最上段に配置する場合には、１段目のレール部材４４ａは使用されず、第２引出し４２は２段目のレール部材４４ａに保持され、第１引出し４１は３段目及び４段目のレール部材４４ａに保持される。さらに、図５（ａ）（ｂ）に示すように、第２引出し４２を中段に配置する場合には、２段目のレール部材４４ａは使用されず、第２引出し４２は３段目のレール部材４４ａに保持され、第１引き出し４１は１段目及び４段目のレール部材４４ａに保持される。
【００２８】
前記シンクユニット２は、高さが基準高さＨの略１倍に設定された１つの第１引出し２１と、高さが基準高さＨの略２倍に設定された１つの第２引出し２２と、前方に開口し、内部に前記各引出し２１，２２を上下に並んだ状態で収納可能なユニット本体２３とを有している。
【００２９】
前記第１引出し２１、第２引出し２２、及びユニット本体２３の構造は、基本的には前記引出しユニット４の第１引出し４１、第２引出し４２、及びユニット本体４３の構造と同様であるが、図６（ａ）〜（ｃ）に示すように、ユニット本体２３の前面の上部には、基準高さＨと略同一の高さの固定板２５が取り付けられていて、シンク１２が存する高さ位置には引出しが配置できないようになっている。また、ユニット本体２３の両内側面には、３つのレール部材４４ａが基準高さＨと略同一のピッチＰで設けられている。
【００３０】
前記第１引出し２１及び第２引出し２２の後側の端部には、排水トラップ１２ａとの干渉を回避するための切欠き部２６が設けられている。この切欠き部２６は、底板２１ｄの後端部が所定幅で切欠かれるとともに、背板２１ｃの中央部が所定幅で切断され、底板２１ｄが切欠かれた部分が平面視で略コ字状の補強壁２６ａで縁取られることにより形成されている。
【００３１】
そして、前記切欠き部２６には、図７（ａ）に示すような容器状の収納部材２７Ａや、あるいは図７（ｂ）に示すようなカゴ状の収納部材２７Ｂが嵌め込まれるようになっている。
【００３２】
前記収納部材２７Ａ，２７Ｂは、内部にものを収納可能な上方に開口する形状の収納部２７ａと、この収納部２７ａの左右方向の上端部から外側に張り出す係合部２７ｂとを有しており、係合部２７ｂが前記補強壁２６ａの上端部に載置されることにより、収納部材２７Ａ，２７Ｂが切欠き部２６に着脱可能に取り付けられるようになっている。図６の状態では、第１引出し２１が排水トラップ１２ａと対応する高さ位置にあるので、第２引出し２２にのみ前記収納部材２７Ａ（または２７Ｂ）が取り付けられている。
【００３３】
このように、第１引出し２１及び第２引出し２２に排水トラップ１２ａとの干渉を回避する切欠き部２６を設けたから、引出し２１，２２の自由な入れ替えが可能になる。しかも、切欠き部２６には収納部材２７Ａ，２７Ｂが着脱可能に取り付けられるようになっているので、切欠き部２６を合理的に利用して引出し２２（または２１）の収納面積の減少を回避することができる。
【００３４】
前記コンロユニット３は、高さが基準高さＨの略１倍に設定された１つの第１引出し３１と、高さが基準高さＨの略２倍に設定された１つの第２引出し３２と、前方に開口し、内部に前記各引出し３１，３２を上下に並んだ状態で収納可能なユニット本体３３とを有している。
【００３５】
前記第１引出し３１、第２引出し３２、及びユニット本体３３の構造は、基本的には前記引出しユニット４の第１引出し４１、第２引出し４２、及びユニット本体４３の構造と同様であるが、前述したように１つの第１引出し４１に代えてコンロ１３が配置されている。また、ユニット本体３３の両内側面には、図示は省略するが、３つのレール部材４４ａが基準高さＨと略同一のピッチＰで設けられている。
【００３６】
このような構成のキッチン用キャビネット１Ａであれば、キッチン用キャビネット１Ａを設置した当初は、図１に示すような引出しのレイアウトであっても、各ユニット２〜６の第１引出し２１〜６１及び第２引出し２２〜６２を上下に入れ替えることにより、ユーザーがキッチン用キャビネットの外観やデザインを変更することができる。例えば、図８（ａ）に示すように、各ユニット２〜６の第２引出し２２〜６２を中段に配置すれば、これらの第２引出し２２〜６２で構成される太いラインをキッチン用キャビネット１Ａの真中に持ってくることができる。あるいは、図８（ｂ）（ｃ）に示すように、ユーザーがその時々の使い勝手に合わせて引出しの配置を変更することも可能である。
【００３７】
また、各ユニット２〜６の第１引出し２１〜６１のうちの１つの化粧板（引出しユニット４では化粧板４１ａ）を他の引出しの化粧板と異なる色にすることによって、例えば設置当初には１本のラインを呈するようにしておいて、その後に引出しの配置を変更することにより、キッチン用キャビネット１Ａの模様パターンを変更することもできる。
【００３８】
さらには、各引出しユニット４〜６は幅寸法が異なるだけであり、レール部材４４ａの取り付け位置も同一であるので、各引出しユニット４〜６のユニット本体を構成する両側板（引出しユニット４では側板４３ａ）は、全てのユニット４〜６で共通化することができ、製造コストを低減することができる。
【００３９】
なお、各ユニット２〜６の引出しは、全てが第１引出し２１〜６１となっていてもよい。このようにしても、引出し２１〜６１を上下で入れ替えることは可能である。
【００４０】
（第２実施形態）
次に、図９（ａ）を参照して、本発明の第２実施形態に係るキッチン用キャビネット１Ｂを説明する。このキッチン用キャビネット１Ｂは、前記第１実施形態に係るキッチン用キャビネット１Ａと比べて、引出しユニット５の幅寸法のみが異なるだけであって、他の部分は同じである。すなわち、引出しユニット５の幅寸法は、引出しユニット４の幅寸法と略同一に設定されている。
【００４１】
このようにすれば、前記第１実施形態の効果に加え、引出しユニット４，５同士の間で、第１引出し４１，５１同士または第２引出し４２，５２同士を自由に入れ替えることが可能である。また、図９（ｂ）に示すように、引出しユニット４の２つの第１引出し４１と、引出しユニット５の第２引出し５２とを入れ替えることも可能である。
【００４２】
なお、引出しユニット４，５の引出しは、当初から図９（ｂ）のようになっていてもよい。すなわち、引出しユニット４は、２つの第２引出し４２を有し、引出しユニット５は、４つの第１引出し５１を有していてもよい。
【００４３】
（第３実施形態）
次に、図１０（ａ）を参照して、本発明の第３実施形態に係るキッチン用キャビネット１Ｃを説明する。このキッチン用キャビネット１Ｃは、前記第２実施形態に係るキッチン用キャビネット１Ｂと比べて、引出しユニット４の構成のみが異なるだけであって、他の部分は同じである。すなわち、引出しユニット４は、１つの第１引出し４１と、高さが基準高さＨの略３倍に設定された１つの第３引出し４５とを有している。そして、引出しユニット４のユニット本体４３の両内側面には、４段のレール部材４４ａが基準高さＨと略同一のピッチＰで設けられている。
【００４４】
このようにしても、第１引出し４１と第３引出し４５とを上下に入れ替えることも可能である。さらには、引出しユニット４には、レール部材４４ａが４段で設けられているので、図１０（ｂ）に示すように、引出しユニット５の１つの第１引出し５１及び第２引出し５２と、引出しユニット４の第３引出し４５とを入れ替えることが可能である。すなわち、各引出しの高さは基準高さＨの略整数倍に設定されていれば、本発明を適用することは可能である。
【００４５】
（第４実施形態）
次に、図１１を参照して、本発明の第４実施形態に係るキッチン用キャビネット１Ｄを説明する。このキッチン用キャビネット１Ｄは、カップボードとして構成されたものであり、２つの引出しユニット８と、それらの上に載置される棚ユニット７とを備えている。
【００４６】
前記各引出しユニット８は、２つの第１引出し８１と、１つの第２引出し８２とを有しており、このようにカップボードとして構成されたキッチン用キャビネット１Ｄに対しても本発明を適用することは可能である。
【００４７】
さらに、このキッチン用キャビネット１Ｄと、前記各実施形態に係るキッチン用キャビネット１Ａ〜１Ｃのいずれかを組み合わせ、キッチン用キャビネット１Ｄの引出しユニット８の幅寸法を、キッチン用キャビネット１Ａ（または１Ｂ，１Ｃ）の引出しユニット４の幅寸法と略同一に設定しておけば、キャビネット同士の間で引出しを入れ替えることも可能である。
【００４８】
なお、前記各実施形態においては、キッチン用キャビネット１Ａ〜１Ｄを構成するユニット２〜６，８の数及び幅は適宜選定可能であり、引出しユニットの幅が同じであれば、ユニット間で自在に引出しユニットを交換することができる。また、全てのユニットの幅が同じであれば、全ての引出しを交換することができる。さらに、従来のように、開き戸を取り付けることも可能である。
【図面の簡単な説明】
【００４９】
【図１】本発明の第１実施形態に係るキッチン用キャビネットの正面図である。
【図２】（ａ）は引出しユニットの正面図、（ｂ）はその側面図である。
【図３】（ａ）は図２（ａ）のＩ−Ｉ線断面図、（ｂ）は（ａ）のＩＩ−ＩＩ線断面図である。
【図４】（ａ）は第２引出しを最上段に配置したときの引出しユニットの正面図、（ｂ）はその側面図である。
【図５】（ａ）は第２引出しを中段に配置したときの引出しユニットの正面図、（ｂ）はその側面図である。
【図６】（ａ）はシンクユニットの平面図、（ｂ）はその正面図、（ｃ）はその側面図である。
【図７】（ａ）は収納部材の斜視図、（ｂ）は変形例の収納部材の斜視図である。
【図８】（ａ）〜（ｃ）は各ユニットの引出しの配置を変更したときのキッチン用キャビネットの正面図である。
【図９】（ａ）は本発明の第２実施形態に係るキッチン用キャビネットの正面図、（ｂ）は各ユニットの引出しの配置を変更したときのキッチン用キャビネットの正面図である。
【図１０】（ａ）は本発明の第３実施形態に係るキッチン用キャビネットの正面図、（ｂ）は各ユニットの引出しの配置を変更したときのキッチン用キャビネットの正面図である。
【図１１】本発明の第４実施形態に係るキッチン用キャビネットの正面図である。
【符号の説明】
【００５０】
１Ａ〜１Ｄ  キッチン用キャビネット
１１  キッチンカウンター
１２  シンク
２    シンクユニット
２１，３１，４１，５１，６１  第１引出し
２２，３２，４２，５２，６２  第２引出し
２６  切欠き部
２７Ａ，２７Ｂ  収納部材
３    コンロユニット
４〜６  引出しユニット
４３  ユニット本体
４４ａ  レール部材
４４ｂ  係合部材
【図１】
2007020982.tif 000003
【図２】
2007020982.tif 000004
【図３】
2007020982.tif 000005
【図４】
2007020982.tif 000006
【図５】
2007020982.tif 000007
【図６】
2007020982.tif 000008
【図７】
2007020982.tif 000009
【図８】
2007020982.tif 000010
【図９】
2007020982.tif 000011
【図１０】
2007020982.tif 000012
【図１１】
2007020982.tif 000013